(57)【要約】      （修正有）【課題】長尺部材の早期破損を防止することができ、長尺部材の交換をしなくてもドラム缶載置台を長期にわたって使用することができるドラム缶載置台を提供する。【解決手段】設置地面１１上に互いに略平行に配置され、設置地面に接触する下面とは反対側の上面４２ａにドラム缶を載置可能な複数の長尺部材４２を備え、前記長尺部材４２は、金属により形成された軸芯部４６と、前記軸芯部４６の外周面４６ａから外側に突き出すように一体的に設けられた突起部４８と、前記軸芯部４６と前記突起部４８の周囲を覆う合成樹脂により形成された被覆部５０とを有している。【選択図】図３
0003160218.tif 000002
【実用新案登録請求の範囲】
【請求項１】
設置地面上に互いに略平行に配置され、設置地面に接触する下面とは反対側の上面にドラム缶を載置可能な複数の長尺部材を備え、
前記長尺部材は、金属により形成された軸芯部と、前記軸芯部の外周面から外側に突き出すように一体的に設けられた突起部と、前記軸芯部と前記突起部の周囲を覆う合成樹脂により形成された被覆部とを有している
ことを特徴とするドラム缶載置台。
【請求項２】
長さ方向に互いに隣合う前記長尺部材各々の端部間にわたって配置され、前記長尺部材各々の端部に両端部が接触してネジ結合により固定されることにより、前記長尺部材の各々を長さ方向に連結する連結部材を有していることを特徴とする請求項１に記載のドラム缶載置台。
【請求項３】
前記複数の長尺部材を互いに略平行に配置するために前記複数の長尺部材を幅方向に接続する接続部材を有していることを特徴とする請求項１又は２に記載のドラム缶載置台。
【請求項４】
前記接続部材は、前記複数の長尺部材各々の長さ方向に対する垂直方向に伸びて両端部がネジ結合により前記長尺部材に固定されていることを特徴とする請求項３に記載のドラム缶載置台。
【請求項５】
下端部が前記設置地面の土中に埋め込まれ、上端部が前記設置地面から突き出して前記長尺部材に固定された固定部材を有していることを特徴とする請求項１ないし４のいずれかに記載のドラム缶載置台。
【請求項６】
前記長尺部材は、角柱状に形成されていることを特徴とする請求項１ないし５のいずれかに記載のドラム缶載置台。
【請求項７】
前記軸芯部と前記突起部は溶接により一体的に設けられていることを特徴とする請求項１ないし６のいずれかに記載のドラム缶載置台。
【考案の詳細な説明】
【技術分野】
【０００１】
本考案は、ドラム缶の載置台に関するものである。
【背景技術】
【０００２】
図６は、第１の従来のドラム缶載置台２を説明するために用いる図である。
【０００３】
図６に示すように、第１の従来のドラム缶載置台２は、主として、四角柱状に形成された一対の長尺部材４を備えて構成され、地盤が土砂等で形成された設置地面１１上に、長尺部材４が横に寝かされて、その幅方向に互いに所定の間隔をおいて平行に配置されていた。この長尺部材４の材質には木が使用されていた。
【０００４】
また、図６に示すように、長尺部材４は、その長さ方向の端部間に、両端の折れ曲がった略コの字状の釘部材８の、その折れ曲がった部分の先端が木の長尺部材４に打ち込まれて、互いに隣接する長尺部材４の端部同士が固定されることにより、長尺部材４は互いの長さ方向に連結され、その長さを継ぎ足し可能にして、延長することができるようになっていた。
【０００５】
このような上記第１の従来のドラム缶載置台２においては、図６に示すように、一対の長尺部材４の平坦な上面４ａそれぞれの上に、ドラム缶１０の円筒状の胴体部１０ａを、その中心軸方向を長尺部材４の長さ方向と直交するように配置することにより、ドラム缶１０を横に寝かせた状態で長尺部材４の上に載置させるようになっていた。
【０００６】
また、ドラム缶１０の中心軸方向と直交しかつ略水平の方向の外力を、ドラム缶１０の胴体部１０ａに加えることにより、ドラム缶１０を長尺部材４の上で転動させることができ、長尺部材４の長さ方向の往復いずれの方向（図６中左右いずれの方向）にも容易に移動させることができるようになっていた。
【０００７】
しかしながら、上記第１の従来のドラム缶載置台２においては、長尺部材４の材質に木が使用されているため腐食が早く、この腐食により長尺部材４は早期に破損してしまう。このため、ドラム缶載置台２を長期にわたって使用することが困難であるという問題があった。
【０００８】
また、長尺部材４は早期に破損してしまうため、短期間で新しいものに交換する必要が生じ、その交換作業を行うために多くの労力と時間と費用がかかるという問題もあった。
【０００９】
また、一対の長尺部材４は、設置地面１１上に配置されているだけで、互いの幅方向には全く固定されておらず、互いの間隔を所定の間隔に保持するためには、一方又は双方の位置がずれた場合にその都度互いの位置を調整する必要があり、その調整作業を行うために労力と時間と費用がかかるという問題もあった。
【００１０】
次に、図７及び図８は、第２の従来のドラム缶載置台を説明するために参照する図である。この第２の従来のドラム缶載置台は、前記第１の従来のドラム缶載置台２と同様の構成を有し、その同様の構成についての重複する説明は概ね省略するものとする。
【００１１】
前記第１の従来のドラム缶載置台２においては、木を素材とする一対の長尺部材４が設置地面１１上に配置されていたが、この第２の従来のドラム缶載置台においては、上記長尺部材４の代わりに、図８に示すように、その内外が二つの異なる素材により構成された一対の長尺部材２２が設置地面１１上に配置されていた。
【００１２】
そして、この第２の従来のドラム缶載置台においては、図８に示すように、長尺部材２２は、その中央軸方向に貫通する孔を有する四角筒状に形成されていた。そして長尺部材２２は、金属により形成された軸芯部２６と、この軸芯部２６の外周面２６ａの周囲を覆うように形成され、再生プラスチック（合成樹脂）により形成された被覆部２８とにより構成されていた。
【００１３】
したがって、図７に示すように、長尺部材２２は全体として、軸方向に長さ寸法Ｌを有する二重の四角筒状に形成されていた。
【００１４】
このような長尺部材２２を用いた第２の従来のドラム缶載置台は、長尺部材２２の内側の軸芯部２６の材質に金属を使用することによりその強度を高めることを可能にし、この軸芯部２６の外側の被覆部２８の材質に再生プラスチックを使用することにより、長尺部材２２が腐食により早期に破損するのを防ぎ、ドラム缶載置台を長期間にわたって使用することを可能にしようとするものであった。
【考案の概要】
【考案が解決しようとする課題】
【００１５】
しかしながら、上記第２の従来のドラム缶載置台においては、長尺部材２２は、その内側の部材と外側の部材が金属と再生プラスチックという二つの異なる材質により構成されているために、次のような問題があった。
【００１６】
すなわち、金属と再生プラスチックとでは、温度上昇によって物体の長さや体積が膨張する割合である熱膨張率（伸縮率）が異なるものであるために、金属と再生プラスチックにより形成された長尺部材２２は、年間の気温変化（温度変化）による応力や歪みが生じていた。
【００１７】
特に、長尺部材２２の軸方向においては、その長さ寸法Ｌの全長にわたって伸縮を繰り返すために、伸縮率がより大きい再生プラスチックにより形成された被覆部２８にき裂が生じ、そのき裂発生箇所から水が入ってきて、被覆部２８の内側に被覆された金属製の軸芯部２６が腐食し、やがては破断するという問題があった。
【００１８】
このため、前記第２の従来のドラム缶載置台は、前記第１の従来のドラム缶載置台２と同様に、ドラム缶載置台を長期間にわたって使用することが困難であるという問題を解決することができるものではなかった。
【００１９】
また、前記第２の従来のドラム缶載置台は、前記第１の従来のドラム缶載置台２に存する他の問題点、すなわち長尺部材２２の交換作業を行うために労力と時間と費用がかかるという問題とか、一対の長尺部材２２の相互間の位置がずれた場合にその都度互いの位置を調整する作業を行うために労力と時間と費用がかかるという問題を、解決することができるものでもなかった。
【００２０】
そこで本考案は、上記問題点に鑑みて、長尺部材の早期破損を防止することができ、長尺部材の交換をしなくてもドラム缶載置台を長期にわたって使用することができるドラム缶載置台を提供することを課題とするものである。
【課題を解決するための手段】
【００２１】
上記課題を解決するために、本考案によるドラム缶載置台は、
設置地面上に互いに略平行に配置され、設置地面に接触する下面とは反対側の上面にドラム缶を載置可能な複数の長尺部材を備え、
前記長尺部材は、金属により形成された軸芯部と、前記軸芯部の外周面から外側に突き出すように一体的に設けられた突起部と、前記軸芯部と前記突起部の周囲を覆う合成樹脂により形成された被覆部とを有している
ことを特徴とするものである。
【００２２】
また、本考案によるドラム缶載置台は、
長さ方向に互いに隣合う前記長尺部材各々の端部間にわたって配置され、前記長尺部材各々の端部に両端部が接触してネジ結合により固定されることにより、前記長尺部材の各々を長さ方向に連結する連結部材を有していることを特徴とするものである。
【００２３】
また、本考案によるドラム缶載置台は、
前記複数の長尺部材を互いに略平行に配置するために前記複数の長尺部材を幅方向に接続する接続部材を有していることを特徴とするものである。
【００２４】
また、本考案によるドラム缶載置台は、
前記接続部材は、前記複数の長尺部材各々の長さ方向に対する垂直方向に伸びて両端部がネジ結合により前記長尺部材に固定されていることを特徴とするものである。
【００２５】
また、本考案によるドラム缶載置台は、
下端部が前記設置地面の土中に埋め込まれ、上端部が前記設置地面から突き出して前記長尺部材に固定された固定部材を有していることを特徴とするものである。
【００２６】
また、本考案によるドラム缶載置台は、
前記長尺部材は、角柱状に形成されていることを特徴とするものである。
【００２７】
また、本考案によるドラム缶載置台は、
前記軸芯部と前記突起部は溶接により一体的に設けられていることを特徴とするものである。
【考案の効果】
【００２８】
このような本考案のドラム缶載置台によれば、
設置地面上に互いに略平行に配置され、設置地面に接触する下面とは反対側の上面にドラム缶を載置可能な複数の長尺部材を備え、
前記長尺部材は、金属により形成された軸芯部と、前記軸芯部の外周面から外側に突き出すように一体的に設けられた突起部と、前記軸芯部と前記突起部の周囲を覆う合成樹脂により形成された被覆部とを有していることにより、
長尺部材の早期破損を防止することができ、長尺部材の交換をしなくてもドラム缶載置台を長期にわたって使用することができる。
【図面の簡単な説明】
【００２９】
【図１】本考案の一実施の形態に係るドラム缶載置台４０の平面図である。
【図２】図１に示すドラム缶載置台４０とその上に載置されたドラム缶１０とを示す側面図である。
【図３】図１に示すドラム缶載置台４０の長尺部材４２を示す斜視図である。
【図４】図３に示す長尺部材４２の軸方向と直交し突起部４８を含む断面図である。
【図５】図３に示す長尺部材４２の軸方向と平行で突起部４８を含む断面図である。
【図６】第１の従来のドラム缶載置台２を示す斜視図である。
【図７】第２の従来のドラム缶載置台で用いる長尺部材２２を示す斜視図である。
【図８】図７に示す長尺部材２２の軸方向と直交する断面図である。
【考案を実施するための形態】
【００３０】
以下、本考案に係るドラム缶載置台の実施の形態について、図面に基づいて具体的に説明する。
【００３１】
図１ないし図５は、本考案の一実施の形態に係るドラム缶載置台４０について説明するために参照する図である。これらの図に示すドラム缶載置台４０は、前記第１の従来のドラム缶載置台２と同様の構成を有し、その同様の構成についての重複する説明は概ね省略するものとする。
【００３２】
本実施の形態に係るドラム缶載置台４０においては、図１及び図２に示すように、一対の長尺部材４２が、地盤が土砂等で形成された設置地面１１上に互いに平行に配置されている。そしてこの一対の長尺部材４２は、オスネジ部材５２及びナット５４により互いに幅方向に連結され、互いに幅方向の所定の間隔を維持するように、互いに固定されている。
【００３３】
そして、ドラム缶載置台４０の長尺部材４２は、その長さ方向の端部間が互いに連結部材５６により連結されて、長さ方向に継ぎ足して延長可能になっており、固定用部材６２を介して、設置地面１１上に固定されている。
【００３４】
ドラム缶載置台４０の長尺部材４２は、図３，４に示すように、四角筒状の軸芯部４６と、軸芯部４６の外周面４６ａから外側に突き出した突起部４８と、これらの軸芯部４６と突起部４８の周囲を覆うように形成された被覆部５０とにより構成されており、軸方向に長さ寸法Ｌを有する二重の四角筒状に形成されている。
【００３５】
長尺部材４２の軸芯部４６は、図３に示すように、その軸線に沿って貫通する軸孔を有する四角筒状に形成されており、金属の材質により形成されている。
【００３６】
長尺部材４２の突起部４８は、金属製の丸棒状に形成されており、軸芯部４６の軸方向と直交する、図４に示す鉛直断面内において、その内側の端面４８ａが軸芯部４６の四辺の各外周面４６ａに垂直に突き当てられて、相互間が溶接により接合されている。そして、長尺部材４２の突起部４８は、図５に示すように、軸芯部４６の軸方向に長さ寸法Ｉの間隔をおいて複数並んで配置されている。
【００３７】
このように長尺部材４２の軸芯部４６が突起部４８を有することにより、突起部４８の長さ方向に垂直の方向かつ略水平の方向に加えられる力を、軸芯部４６と被覆部５０の相互間に確実に伝達することができる。
【００３８】
長尺部材４２の被覆部５０は、再生プラスチック（合成樹脂）の材質により形成され、図４及び図５に示すように、溶接により互いに一体的に固定された軸芯部４６と突起部４８の周囲を被覆して形成されており、その外周形状が四角柱状に形成されている。
【００３９】
長尺部材４２は、前述のように、被覆部５０の内部に、軸方向に長さ寸法Ｉの間隔をおいて複数並んで配置された突起部４８を備えることにより、被覆部５０の軸方向における伸縮する範囲を、突起部４８間の長さ寸法Ｉごとに分割することができる。
【００４０】
このため、長尺部材４２は温度変化により生じる被覆部５０の伸縮の度合いを低減させることができ、長尺部材４２の早期破損を防止することができるため、長尺部材４２により構成されたドラム缶載置台４０は、長尺部材４２を短期間で交換しなくても済み、長期間にわたって使用することが可能となる。
【００４１】
また、図１〜図３及び図５に示すように、長尺部材４２は、その長さ方向の両端部それぞれに、互いに平行に配置された長尺部材４２同士の連結、固定に用いるための、オスネジ部材５２が緩く挿通するような径寸法に設定された、貫通孔４２ｄが形成されている。
【００４２】
また、長尺部材４２の長さ方向の両端部それぞれには、図１〜図３及び図５に示すように、長尺部材４２同士をその長さ方向の端部間において連結するための、頭付ボルト５８のネジ部が緩く挿通するような径寸法に設定された、貫通孔４２ｅも形成されている。
【００４３】
また、長尺部材４２の長さ方向の両端部それぞれには、同図に示すように、長尺部材４２と固定用部材６２間の固定に用いるための、頭付ボルト６４のネジ部が緩く挿通するような径寸法に設定された、貫通孔４２ｆも形成されている。
【００４４】
図１に示すように、ドラム缶載置台４０の、互いに平行に配置された長尺部材４２同士の連結、固定に用いるためのオスネジ部材５２（接続部材）は、耐食性の高いステンレス鋼により形成され、全長にわたってネジ山が形成されたネジ棒状に形成されている。
【００４５】
このオスネジ部材５２は、図１及び図２に示すように、その長さ方向の両端部に各２個のナット５４が取り付けられている。各ナット５４の取り付け順序としては、その両端部の各２個のナット５４のうちの、両端部より内側の中央寄りのナット５４を、外側寄りのナット５４より先にネジ結合した後に、長尺部材４２の貫通孔４２ｄそれぞれに、オスネジ部材５２の両端部が長尺部材４２の互いの対向面４２ｂ側から挿し通されて、外側面４２ｃの外側に貫通する。そして、オスネジ部材５２の両端部は、長尺部材４２それぞれから外側に突き出した先端ネジ部が、長尺部材４２の外側面４２ｃ側からナット５４によりネジ結合される。
【００４６】
すなわち、一対の長尺部材４２の一方は、内側の対向面４２ｂと外側の外側面４２ｃの両側から一対のナット５４により挟みこまれ、オスネジ部材５２と２個のナット５４がネジ結合することにより、オスネジ部材５２の一端部に固定される。
【００４７】
このため、一対の長尺部材４２は、各１本のオスネジ部材５２に対し各４個のナット５４により、互いに一定の間隔をおいて平行に配置され、互いに強固に固定される。また、一対の長尺部材４２は、ネジ結合により固定されているために、必要に応じて間隔の調整を容易に行なうことができる。
【００４８】
そして、一対の長尺部材４２は、設置地面１１に接触するその下面とは反対側の平坦な上面４２ａの上に、ドラム缶１０の胴体部１０ａを、その中心軸方向を長尺部材４２の長さ方向と直交するように配置することにより、ドラム缶１０を横に寝かせた状態で長尺部材４２の上に載置させることができる。
【００４９】
また、ドラム缶１０の中心軸方向と直交しかつ略水平の方向の外力を、ドラム缶１０の胴体部１０ａに加えることにより、ドラム缶１０を長尺部材４２の上で転動させることができ、長尺部材４２の長さ方向の両方向（図２中左右方向）のいずれの方向にも、容易に移動させることができる。
【００５０】
ドラム缶載置台４０の連結部材５６は、再生プラスチック（合成樹脂）により形成され、図１及び図２に示すように、略矩形の板状に形成されている。
【００５１】
この連結部材５６の両端部それぞれには、長尺部材４２同士をその長さ方向の端部間において連結するために、長尺部材４２の端部に形成された貫通孔４２ｅに対応する位置に、ステンレス鋼により形成された頭付ボルト５８のネジ部が緩く挿通する貫通孔が形成されている。
【００５２】
そして、図１に示すように、連結部材５６は、互いに隣合う長尺部材４２それぞれの端部にわたって接触して、それぞれの貫通孔を頭付ボルト５８が挿通し、ナット６０により締め付けられるネジ結合により、互いに隣合う長尺部材４２の長さ方向の端部同士を連結している。
【００５３】
そのため、連結部材５６により、長尺部材４２同士がその長さ方向にいくつも連結できるようになっており、ドラム缶載置台４０を長距離にわたって設置することができる。また、それぞれの長尺部材４２の長さをあまり長く形成しなくとも済むため、一つの長尺部材４２に加えられる伸縮による負荷を少なくすることができる。
【００５４】
ドラム缶載置台４０の固定用部材６２は、図１及び図２に示すように、四角柱状に形成され、その下端部は先端に行くに従ってその太さ寸法や断面積が小さくなる（細くなる）ように形成されている。そして、その下端部は設置地面１１の土中に深く打ち込まれ、上端部は設置地面１１から上方に突き出している。
【００５５】
この固定用部材６２は、その上端部の側面が、長尺部材４２の一方の側面に接触して配置され、長尺部材４２の貫通孔４２ｆと、この貫通孔４２ｆと対応する位置に頭付ボルト６４のネジ部が緩く貫通するように形成された貫通孔を、頭付ボルト６４のネジ部が挿通し、ナット６６により締め付けられてネジ結合されることにより、長尺部材４２と固定用部材６２は互いに強固に固定される。
【００５６】
このため、長尺部材４２は、固定用部材６２、頭付ボルト６４、ナット６６により、設置地面１１上に強固に固定される。
【００５７】
このような本考案の一実施の形態に係るドラム缶載置台４０によれば、長尺部材４２の早期破損を防止することができ、長尺部材４２の交換をしなくてもドラム缶載置台４０を長期にわたって使用することができると共に、一対の長尺部材４２の互いの間隔を所定の間隔に保持することができる。
【００５８】
また、このような本考案の一実施の形態に係るドラム缶載置台４０によれば、一対の長尺部材４２の上面４２ａそれぞれに、円筒状のドラム缶１０の胴体部１０ａの両端部を接触させて配置することにより、ドラム缶１０を横に寝かせた状態で一対の長尺部材４２の上に載置させることができる。
【００５９】
また、このような本考案の一実施の形態に係るドラム缶載置台４０によれば、ドラム缶１０の中心軸方向と直交し、かつ略水平の方向の外力を胴体部１０ａに加えることにより、ドラム缶１０を長尺部材４２の上で転動させることができ、長尺部材４２の長さ方向の両方向のいずれの方向にも、容易に移動させることができる。
【００６０】
なお、前記一実施の形態に係るドラム缶載置台４０における長尺部材４２の上面４２ａは平坦であったが、その上面４２ａに凹凸が形成されるようになっていてもよい。このように長尺部材４２の上面４２ａに凹凸が形成されると、ドラム缶１０をドラム缶載置台４０上の定められた位置に載置し、その位置が簡単にずれることを確実に防止することができる。
【００６１】
また、前記一実施の形態に係るドラム缶載置台４０においては、オスネジ部材５２は全長にわたってネジ山が形成された棒状に形成されていたが、長尺部材４２をネジ結合することができる程度の長さのネジ部が両端部に形成されていればよい。
【００６２】
また、前記一実施の形態に係るドラム缶載置台４０における長尺部材４２を設置地面１１上に固定するために用いる固定用部材６２は、実施の形態で説明したような形状に限定される必要はない。
【００６３】
また、前記一実施の形態に係るドラム缶載置台４０における長尺部材４２は、設置地面１１上に固定されていなくてもよく、この場合には、固定用部材６２やボルト６４、ナット６６は用いなくてよい。
【符号の説明】
【００６４】
２  ドラム缶載置台
４  長尺部材
４ａ  上面
８  釘部材
１０  ドラム缶
１０ａ  胴体部
１１  設置地面
２２  長尺部材
２６  軸芯部
２６ａ  外周面
２８  被覆部
４０  ドラム缶載置台
４２  長尺部材
４２ａ  上面
４２ｂ  対向面
４２ｃ  外側面
４２ｄ  貫通孔
４２ｅ  貫通孔
４２ｆ  貫通孔
４６  軸芯部
４６ａ  外周面
４８  突起部
４８ａ  端面
５０  被覆部
５２  オスネジ部材
５４  ナット
５６  連結部材
５８  頭付ボルト
６０  ナット
６２  固定用部材
６４  頭付ボルト
６６  ナット
Ｌ  長さ寸法
Ｉ  長さ寸法
【図１】
0003160218.tif 000003
【図２】
0003160218.tif 000004
【図３】
0003160218.tif 000005
【図４】
0003160218.tif 000006
【図５】
0003160218.tif 000007
【図６】
0003160218.tif 000008
【図７】
0003160218.tif 000009
【図８】
0003160218.tif 000010